(57)【特許請求の範囲】
【請求項１】
複数の歯が形成された切削縁部を備える金属切削用の鋸刃であって、
前記複数の歯はそれぞれ、歯先と、前記歯先の一方の側に位置する逃げ面と、前記逃げ面に対して前記歯先の反対側に位置し、少なくとも２つの歯の歯先の間に延伸する平面に対して正のすくい角を形成するすくい面と、刃溝と、前記すくい面と前記刃溝との間に形成され、前記すくい面に対して外側に隆起する隆起部であって、前記すくい面と前記刃溝を接続する平坦な接続面を有する隆起部とを備え、
前記接続面は、少なくとも２つの歯の歯先の間に延伸する前記平面に対して鋭角にて傾斜しており、
前記接続面と前記刃溝が接続する部分において歯の輪郭が凸に形成され、
前記接続面は、前記すくい面に隣接する内側端部と、前記刃溝に隣接する外側端部とを有し、
前記内側端部は、前記歯先から下方に少なくとも２５／１０００インチ（０．６３５ｍｍ）の深さに位置し、
少なくとも２つの歯の歯先の間に延伸する前記平面に対して平行な方向における、前記接続面の前記内側端部と前記外側端部との間の距離は、６５／１０００インチ（１．６５１ｍｍ）未満であり、
前記接続面が、少なくとも２つの歯の歯先の間に延伸する前記平面に対して６４°から７９°の範囲内の鋭角にて傾斜し、
前記刃溝の入口面が前記外側端部から、前記平面に対して垂直の方向に延びている、
ことを特徴とする鋸刃。
【請求項２】
請求項１に記載の鋸刃であって、前記接続面が、少なくとも２つの歯の歯先の間に延伸する前記平面に対して６６°から７０°の範囲内の鋭角にて傾斜していることを特徴とする鋸刃。
【請求項３】
請求項１に記載の鋸刃であって、前記接続面の前記内側端部が、前記歯先から下方に２５／１０００インチ（０．６３５ｍｍ）から６５／１０００インチ（１．６５１ｍｍ）の範囲内の深さに位置することを特徴とする鋸刃。
【請求項４】
請求項１に記載の鋸刃であって、前記接続面の前記内側端部が、前記歯先から下方に３０／１０００インチ（０．７６２ｍｍ）から５５／１０００インチ（１．３９７ｍｍ）の範囲内の深さに位置することを特徴とする鋸刃。
【請求項５】
請求項１に記載の鋸刃であって、前記正のすくい角が１０°から１７°の範囲内であることを特徴とする鋸刃。
【請求項６】
請求項５に記載の鋸刃であって、前記正のすくい角が１２°から１６°の範囲内であることを特徴とする鋸刃。
【請求項７】
請求項１に記載の鋸刃であって、少なくとも２つの歯の歯先の間に延伸する前記平面に対して平行な方向における、前記接続面の前記内側端部と前記外側端部との間の前記距離が、少なくとも５／１０００インチ（０．１２７ｍｍ）であることを特徴とする鋸刃。
【請求項８】
請求項７に記載の鋸刃であって、少なくとも２つの歯の歯先の間に延伸する前記平面に対して平行な方向における、前記接続面の前記内側端部と前記外側端部との間の前記距離が、少なくとも１５／１０００インチ（０．３８１ｍｍ）であることを特徴とする鋸刃。
【請求項９】
請求項７に記載の鋸刃であって、少なくとも２つの歯の歯先の間に延伸する前記平面に対して平行な方向における、前記接続面の前記内側端部と前記外側端部との間の前記距離が、５／１０００インチ（０．１２７ｍｍ）から２５／１０００インチ（０．６３５ｍｍ）の範囲内であることを特徴とする鋸刃。
【請求項１０】
請求項９に記載の鋸刃であって、少なくとも２つの歯の歯先の間に延伸する前記平面に対して平行な方向における、前記接続面の前記内側端部と前記外側端部との間の前記距離が、８／１０００インチ（０．２０３２ｍｍ）から２０／１０００インチ（０．５０８ｍｍ）の範囲内であることを特徴とする鋸刃。
【請求項１１】
請求項１に記載の鋸刃であって、
前記複数の歯が繰り返しの目振りパターンを形成しており、そのパターンには、先頭の非アサリ歯と、前記先頭の非アサリ歯の後続に位置し比較的軽度の目振り幅を有する少なくとも１つの軽度アサリ歯と、前記先頭の非アサリ歯の後続に位置し前記軽度アサリ歯の目振り幅に比べて比較的重度の目振り幅を有する少なくとも１つの重度アサリ歯とが含まれ、
前記重度アサリ歯は、前記先頭の非アサリ歯および前記軽度アサリ歯のうちの少なくとも一方のすくい角に比べて小さいすくい角を形成していることを特徴とする鋸刃。
【請求項１２】
請求項１１に記載の鋸刃であって、前記重度アサリ歯が、前記先頭の非アサリ歯および前記後続の軽度アサリ歯の両方のすくい角に比べて小さいすくい角を形成していることを特徴とする鋸刃。
【請求項１３】
請求項１２に記載の鋸刃であって、前記重度アサリ歯が、前記先頭の非アサリ歯のすくい角および前記後続の軽度アサリ歯のすくい角のそれぞれに比べて、少なくとも６０％まで小さいすくい角を形成していることを特徴とする鋸刃。
【請求項１４】
請求項１３に記載の鋸刃であって、前記重度アサリ歯が、前記先頭の非アサリ歯のすくい角および前記後続の軽度アサリ歯のすくい角のそれぞれに比べて、６０％から８０％の範囲内まで小さいすくい角を形成していることを特徴とする鋸刃。
【請求項１５】
請求項１３に記載の鋸刃であって、前記繰り返しの目振りパターンには、先頭の非アサリ歯と、後続の軽度右アサリ歯と、後続の重度左アサリ歯と、後続の重度右アサリ歯と、後続の軽度左アサリ歯とが含まれることを特徴とする鋸刃。
【請求項１６】
請求項１５に記載の鋸刃であって、前記先頭の非アサリ歯の直後に前記後続の軽度右アサリ歯が位置し、その直後に前記後続の重度左アサリ歯が位置し、その直後に前記後続の重度右アサリ歯が位置し、その直後に前記後続の軽度左アサリ歯が位置することを特徴とする鋸刃。
【請求項１７】
請求項１に記載の鋸刃であって、
前記複数の歯が繰り返しの目振りパターンを形成しており、そのパターンには、先頭の非アサリ歯と、前記先頭の非アサリ歯の後続に位置し比較的軽度の目振り幅を有する少なくとも１つの軽度アサリ歯と、前記先頭の非アサリ歯の後続に位置し前記軽度アサリ歯の目振り幅に比べて比較的重度の目振り幅を有する少なくとも１つの重度アサリ歯とが含まれ、
前記重度アサリ歯は、前記先頭の非アサリ歯の一次逃げ角および前記後続の軽度アサリ歯の一次逃げ角に比べて小さい一次逃げ角を形成していることを特徴とする鋸刃。
【請求項１８】
請求項１７に記載の鋸刃であって、前記重度アサリ歯の一次逃げ角が０°から８°の範囲内であることを特徴とする鋸刃。
【請求項１９】
請求項１７に記載の鋸刃であって、前記重度アサリ歯の一次逃げ面が、前記先頭の非アサリ歯の一次逃げ面および前記軽度アサリ歯の一次逃げ面に比べて短いことを特徴とする鋸刃。
【請求項２０】
請求項１９に記載の鋸刃であって、前記重度アサリ歯の一次逃げ面の長さが２／１０００インチ（０．０５０８ｍｍ）から６／１０００インチ（０．１５２４ｍｍ）の範囲内であることを特徴とする鋸刃。
【請求項２１】
請求項１に記載の鋸刃であって、前記鋸刃が帯鋸刃またはホールカッターであることを特徴とする鋸刃。
【請求項２２】
複数の歯が形成された切削縁部を備える金属切削用の鋸刃であって、
前記複数の歯はそれぞれ、歯先と、前記歯先の一方の側に位置する逃げ面と、前記逃げ面に対して前記歯先の反対側に位置し、少なくとも２つの歯の歯先の間に延伸する平面に対して正のすくい角を形成するすくい面と、刃溝と、前記すくい面と前記刃溝との間にて前記すくい面に対して外側に隆起して設けられ、金属切屑に接線状に接触しカールさせ、カールした金属切屑をすくい面から引き離して前記すくい面に対して前記刃溝の反対側へ移動させる手段とを備え、
前記手段の金属切屑に接触する表面は、平坦であって、前記すくい面と前記刃溝を接続し、前記刃溝と接続する部分において、前記刃溝と共に歯の輪郭を凸に形成し、
前記手段は、少なくとも２つの歯の歯先の間に延伸する前記平面に対して６４°から７９°の範囲内の鋭角にて傾斜し、
前記手段は、前記すくい面に隣接する内側端部と、前記刃溝に隣接する外側端部とを有し、
前記刃溝の入口面が前記手段の前記外側端部から、前記平面に対して垂直の方向に延びている、
ことを特徴とする鋸刃。
【請求項２３】
請求項２２に記載の金属切削用の鋸刃であって、前記手段は、
（i）前記内側端部は、前記歯先から下方に少なくとも２５／１０００インチ（０．６３５ｍｍ）の深さに位置し、
（ii）少なくとも２つの歯の歯先の間に延伸する前記平面に対して平行な方向における、前記内側端部と前記外側端部との間の距離は、６５／１０００インチ（１．６５１ｍｍ）未満であることを特徴とする鋸刃。
【発明の詳細な説明】
【技術分野】
【０００１】
本発明は鋸刃に関し、特に、切削が難しい材料を切削するための、帯鋸刃やホールカッターなどの金属切削用鋸刃に関する。
【背景技術】
【０００２】
従来技術の帯鋸刃であって、特に、工具鋼、ステンレス鋼、ニッケルベースの合金、あるいは他の硬化または加工硬化材料や、比較的高い剪断応力を示す材料などの、切削が難しい材料の切削に使用される帯鋸刃における欠点の一つは、刃の寿命が望まれるほど長くないことか、刃が材料を所望どおりにまっすぐに切れないことか、その両方である。現在の帯鋸刃の設計では、２つの別個の方法を用いることで、これらの欠点を解消しようとしている。１つめのアプローチは、「切溝形成」歯の要素と「切溝非形成」歯の要素とを区別することなく、伝統的な歯または目振りの構成に極端なすくい角を適用することであった。２つめのアプローチは、すくい面に「半径」要素を組み入れて切屑を捉えることであった。これらの方法は、刃が新しくて比較的鋭利なうちは適度に有効でありうるが、重大な欠点がある。１つめの方法では、切溝形成歯のすくい面における比較的積極的な「自動送り込み」構造の採用によって、工具が早く摩耗してしまう。このアプローチでは、制御不可能かつ予測不可能な状態で歯が破断するか「欠ける」傾向がある。他方、２つめの方法では、フルに切屑と接触する半径要素によって、工具と切屑との界面領域が拡大し、それによって切削抵抗（cutting forces）が増大して、より多くの発生熱が工具に印加される結果、望まれるより早く摩耗が生じてしまう。
【先行技術文献】
【特許文献】
【０００３】
【特許文献１】米国特許第７８３２３２０号明細書
【発明の概要】
【発明が解決しようとする課題】
【０００４】
本発明は、上述した従来技術の欠点および問題点のうちの１つまたはそれ以上を解消することを目的とする。
【課題を解決するための手段】
【０００５】
本発明は、金属切削用の帯鋸刃または穴鋸またはホールカッターなどの鋸刃を提供する。その鋸刃は、複数の歯が形成された切削縁部を備える。複数の歯はそれぞれ、歯先と、歯先の一方の側に位置する逃げ面と、逃げ面に対して歯先の反対側に位置するすくい面と、刃溝と、すくい面と刃溝との間に形成され、すくい面に対して外側に隆起する隆起部であって、すくい面と刃溝を接続する平坦な接続面を有する隆起部とを備える。隆起部の接続面は、少なくとも２つの歯の歯先の間に延伸する平面に対して鋭角にて傾斜している。隆起部の接続面と刃溝が接続する部分において歯の輪郭が凸に形成される。隆起部の接続面は、すくい面に隣接する内側端部と、刃溝に隣接する外側端部とを有する。内側端部は、歯先から下方に少なくとも約２５／１０００インチの深さに位置する。少なくとも２つの歯の歯先の間に延伸する平面に対して実質的に平行な方向における、隆起部の接続面の内側端部と外側端部との間の距離は、約６５／１０００インチ未満である。
【０００６】
本発明のいくつかの実施形態では、隆起部の接続面は、少なくとも２つの歯の歯先の間に延伸する平面に対して、約６４°から約７９°の範囲内の鋭角にて傾斜しており、その範囲は好ましくは約６６°から約７０°である。
【０００７】
本発明のいくつかの実施形態では、隆起部の接続面の内側端部は、歯先から下方に約２５／１０００インチから約６５／１０００インチの範囲の深さに位置し、その範囲は好ましくは約３０／１０００インチから約５５／１０００インチである。
【０００８】
本発明のいくつかの実施形態では、すくい面は、正のすくい角を形成している。すくい面が、歯先間に延伸する平面に対して９０°より大きい角度にて内側に傾斜している場合に、すくい面は正のすくい角を形成する。それに対し、すくい面が、歯先間に延伸する平面に対して９０°の向きである場合は、すくい面は「ゼロ度」のすくい角を形成する。正のすくい角は、歯先間に延伸する平面に対して９０°を超えて内側にすくい面が傾斜している度合いに基づいて特定される。たとえば９１°であれば、正のすくい角は１°、９２°であれば、正のすくい角は２°、などである。本発明の現在の好適な実施形態では、正のすくい角は約１０°から約１７°の範囲内であり、より好ましくは約１２°から約１６°の範囲内である。
【０００９】
本発明のいくつかの実施形態では、少なくとも２つの歯の歯先の間に延伸する平面に対して実質的に平行な方向における、隆起部の接続面の内側端部と外側端部との間の距離は、少なくとも約５／１０００インチであり、好ましくは少なくとも約１０／１０００インチであり、より好ましくは少なくとも約１５／１０００インチであり、さらに好ましくは少なくとも約２０／１０００インチである。本発明の他の実施形態では、少なくとも２つの歯の歯先の間に延伸する平面に対して実質的に平行な方向における、隆起部の接続面の内側端部と外側端部との間の距離は、約５／１０００インチから約２５／１０００インチの範囲内であり、より好ましくは約８／１０００インチから約２０／１０００インチの範囲内である。
【００１０】
本発明のいくつかの実施形態では、複数の歯が繰り返しの目振りパターンを形成しており、そのパターンには、先頭の非アサリ歯と、先頭の非アサリ歯の後続に位置し比較的軽度の（小さい）目振り幅を有する少なくとも１つの軽度アサリ歯と、先頭の非アサリ歯の後続に位置し軽度アサリ歯の目振り幅に比べて比較的重度の（大きい）目振り幅を有する少なくとも１つの重度アサリ歯とが含まれる。重度アサリ歯は、先頭の非アサリ歯および軽度アサリ歯のうちの少なくとも一方のすくい角に比べて小さいすくい角を形成している。このような実施形態のいくつかでは、重度アサリ歯は、先頭の非アサリ歯および後続の軽度アサリ歯の両方のすくい角に比べて小さいすくい角を形成している。このような実施形態のいくつかでは、重度アサリ歯は、先頭の非アサリ歯のすくい角および後続の軽度アサリ歯のすくい角のそれぞれに比べて、少なくとも約６０％まで小さいすくい角を形成している。また、このような実施形態のいくつかでは、重度アサリ歯は、先頭の非アサリ歯のすくい角および後続の軽度アサリ歯のすくい角のそれぞれに比べて、約６０％から約８０％の範囲内まで小さいすくい角を形成している（すなわち、約１０°から約１７°の約６０％から約８０％であって、より好ましくは、約１２°から約１６°の約６０％から約８０％である）。
【００１１】
本発明のいくつかの実施形態では、繰り返しの目振りパターンには、先頭の非アサリ歯と、後続の軽度右アサリ歯と、後続の重度左アサリ歯と、後続の重度右アサリ歯と、後続の軽度左アサリ歯とが含まれる。このような実施形態のいくつかでは、先頭の非アサリ歯の直後に後続の軽度右アサリ歯が位置し、その直後に後続の重度左アサリ歯が位置し、その直後に後続の重度右アサリ歯が位置し、その直後に後続の軽度左アサリ歯が位置する。
【００１２】
本発明のいくつかの実施形態では、複数の歯が繰り返しの目振りパターンを形成しており、そのパターンには、先頭の非アサリ歯と、先頭の非アサリ歯の後続に位置し比較的軽度の（小さい）目振り幅を有する少なくとも１つの軽度アサリ歯と、先頭の非アサリ歯の後続に位置し軽度アサリ歯の目振り幅に比べて比較的重度の（大きい）目振り幅を有する少なくとも１つの重度アサリ歯とが含まれる。重度アサリ歯は、先頭の非アサリ歯の一次逃げ角および後続の軽度アサリ歯の一次逃げ角に比べて小さい一次逃げ角を形成している。このような実施形態のいくつかでは、重度アサリ歯の一次逃げ角は、約０°から約８°の範囲内である。いくつかの実施形態では、重度アサリ歯の一次逃げ面は、先頭の非アサリ歯の一次逃げ面および軽度アサリ歯の一次逃げ面に比べて短い。このような実施形態のいくつかでは、重度アサリ歯の一次逃げ面の長さは、約２／１０００インチから約６／１０００インチの範囲内である。
【００１３】
他の態様では、本発明は、帯鋸刃またはホールカッター刃などの金属切削用鋸刃を提供する。その金属切削用鋸刃は、複数の歯が形成された切削縁部を備える。複数の歯はそれぞれ、歯先と、歯先の一方の側に位置する逃げ面と、逃げ面に対して歯先の反対側に位置するすくい面と、刃溝と、すくい面と刃溝との間にてすくい面に対して外側に隆起して設けられ、金属切屑に接線状に接触しカールさせ、カールした金属切屑をすくい面から引き離して当該すくい面に対して刃溝の反対側へ移動させる手段とを備える。この手段の金属切屑に接触する表面は、平坦であって、前記すくい面と前記刃溝を接続し、前記刃溝と接続する部分において、前記刃溝と共に歯の輪郭を凸に形成する。
【００１４】
本発明のいくつかの実施形態では、金属切屑に接触してカールさせ移動させる手段は、（i）少なくとも２つの歯の歯先の間に延伸する平面に対して鋭角にて傾斜しており、（ii）すくい面に隣接する内側端部と、刃溝に隣接する外側端部とを有し、（iii）内側端部は、歯先から下方に少なくとも約２５／１０００インチの深さに位置し、（iv）少なくとも２つの歯の歯先の間に延伸する平面に対して実質的に平行な方向における、内側端部と外側端部との間の距離は、約６５／１０００インチ未満である。本発明のいくつかの実施形態では、金属切屑に接触してカールさせ移動させる手段は、実質的に平坦または非曲線状の隆起部である。
【発明の効果】
【００１５】
本発明の利点の一つは、実質的に平坦すなわち非曲線状の隆起部あるいは類似の手段によって、比較的きつくカールした金属切屑を形成し、歯の前端またはすくい面から放出または移動し、刃溝の遠位側または反対側へ運ぶことが可能になる点である。発生した切屑をこのように移送することによって、利用可能な刃溝の容量を効率的に使用でき、さらに、従来技術の金属切削用鋸刃に比べて工具−切屑間の接触ゾーンが減少することに起因して、すくい面の表面に生じる熱を低減できる。本発明の現在の好適な実施形態のさらなる利点は、従来技術の鋸刃で見られるような歯先における切削抵抗の増大による悪影響なしに比較的きつくカールした金属切屑を形成しやすくする構造設計の範囲内に、実施形態の隆起部の接続面の深さ位置ならびに接続面の長さおよび傾斜角が含まれていることである。より詳細には、実質的に平坦すなわち非曲線状の隆起部の接続面が、歯先から下方に約２５／１０００インチから約６５／１０００インチの範囲内（好ましくは約３０／１０００インチから約５５／１０００インチの範囲内）の深さに位置することと、少なくとも２つの歯の歯先の間に延伸する平面に対して実質的に平行な方向における、隆起部の接続面の内側端部と外側端部との間の距離が、約５／１０００インチから約２５／１０００インチの範囲内（より好ましくは約８／１０００インチから約２０／１０００インチの範囲内）であることとによって、隆起部は、歯先における切削抵抗の増大による悪影響なしに、きつくカールした金属切屑を形成できるようになっている。本発明のさらなる利点は、実質的に平坦すなわち非曲線状の隆起部の接続面が、切屑に接線状に接触することで、切屑に接触する隆起部の接続面の表面積と、結果として歯にかかる切削抵抗とを減少させるが、それでもなお、比較的きつくカールした金属切屑を形成し、放出または移動して刃溝の反対側へ運ぶ点である。
【００１６】
本発明の現在の好適な実施形態のいくつかにおける更なる利点は、従来技術の鋸刃との比較で、刃の寿命の向上と、よりまっすぐな切削との両方を可能にする、マルチレベルの目振り構造を採用している点である。全体的な切削抵抗の主たる要因は、非アサリ歯および軽度アサリ歯の相対切削効率であることが見出されている。したがって、本発明の現在の好適な実施形態では、それらの歯が、上述の切屑制御用の突起部と共に比較的積極的な（大きな）すくい角を有することで、抵抗が比較的低い状態で切削材料に切り込む。また、刃の比較的長い寿命と比較的まっすぐな切削との両方を達成するうえで鍵となる要素は、重度アサリ歯であることが見出されている。本発明のいくつかの実施形態では、重度アサリ歯は、より非積極的な（より小さな）すくい角を有し、好ましくは、非アサリ歯および軽度アサリ歯のすくい角の約６０％から約８０％の範囲のすくい角を有する。より非積極的なすくい角を有することによって歯の摩耗が比較的遅くなるか制御されることに起因して、重度アサリ歯は実質的にまっすぐな切削を維持することができるが、それでもなお上述のように、非アサリ歯および軽度アサリ歯の構成によって、比較的低い切削抵抗が維持され切屑がしっかりと制御される。
【００１７】
本発明のいくつかの実施形態における更なる利点は、重度アサリ歯に、たとえば約０°から約８°の範囲内の逃げ角などの、非アサリ歯および軽度アサリ歯に比べて比較的浅い一次逃げ角を設け、約２／１０００インチから約６／１０００インチの範囲内の一次逃げ面長さを設けることによって、重度アサリ歯が、比較的安定的で「未摩耗」状態の歯の構成を有することである。その結果、重度アサリ歯は比較的均一または一定的に摩耗し、より鋭利な歯先を備える（たとえば、より積極的な（より深い）一次逃げ角や、より長い一次逃げ面を備える）鋸歯に本来的に生じうる歯の比較的無秩序な摩耗を回避するが、それでもなお上述のように、非アサリ歯および軽度アサリ歯の構成によって、比較的低い切削抵抗が維持され切屑がしっかりと制御される。
【００１８】
したがって、本発明による金属切削用帯鋸刃などの鋸刃は、たとえば工具鋼、ステンレス鋼、ニッケルベースの合金、あるいは他の硬化または加工硬化材料や、比較的高い剪断応力を示す材料などの、切削が難しい材料を切削する場合において、ユーザに重要な恩恵をもたらす。本発明の鋸刃のさらなる利点は、そのような材料の切削を、従来技術の鋸刃に比べて向上した刃寿命と、よりまっすぐな切削とをもって実現可能にすることである。
【００１９】
本発明や現在の好適な実施形態の他の目的および利点は、以下に記載する現在の好適な実施形態の詳細な説明および添付の図を参照することで、さらに容易に明らかになる。
【図面の簡単な説明】
【００２０】
【図１】本発明を実施している帯鋸刃を示す部分側面図である。
【図２】図１の帯鋸刃の歯の寸法特徴を示す表である。
【図３】図１の帯鋸刃において２つ連続する歯の例を示す部分拡大側面図である。
【図４】本発明の帯鋸刃の代替実施形態の歯の寸法特徴を示す表である。
【発明を実施するための形態】
【００２１】
図１に、本発明の実施形態による、切削が難しい材料を切削するための鋸刃を、全体的に符号１０で示す。図１において、鋸刃１０は帯鋸刃であって、切削縁部１４と背縁部１６とを備え且つ長手軸「Ｌ」および横断軸「Ｔ」が定義された鋸身１２から成る。切削方向（前進方向）は、矢印「ａ」で示す方向である。帯鋸刃１０の切削縁部１４には、複数の歯１８，１８が設けられている。図１に示すように、隣接する歯の歯先間で測定される間隔が、ピッチ「Ｐ」である。ただし、通常の技術を有する当業者が本明細書の記載に基づいて理解するように、ピッチは、隣接する各歯における他の多数の対応部分間で測定することも可能である。
【００２２】
図３を参照すると、各歯１８は、歯先２０と、歯先の一方の側に位置する一次逃げ面２２と、一次逃げ面に対して歯先の反対側に位置するすくい面２４と、刃溝２８と、一次逃げ面と刃溝との間に形成された二次逃げ面３２と、すくい面と刃溝との間に形成された隆起部の、実質的に平坦すなわち非曲線状の接続面３０とを備える。各一次逃げ面２２は、連続する非アサリ歯の歯先の間に延伸する平面１３または刃の長手軸Ｌに対して、鋭角の一次逃げ角ＣＡを形成しており、各二次逃げ面３２は、平面１３に対して鋭角の二次逃げ角ＣＡ２を形成している。図示の実施形態では、各一次逃げ角は各二次逃げ角より小さい。一次逃げ角は約２２°から約３２°の範囲内であり、二次逃げ角は約３４°から約４４°の範囲内である。各刃溝２８は、二次逃げ面３２と略平坦な刃溝ベース部３８との間に延伸する第１の刃溝半径部「Ｒ１」と、刃溝ベース部３８と直線状接続面３０との間に延伸する第２の刃溝半径部「Ｒ２」とを含む。
【００２３】
各直線状接続面３０は、すくい面２４の基部に実質的につながる内側端部３１と、刃溝２８への入口に位置する外側端部３３とを有する。直線状接続面３０の内側端部３１とすくい面２４の基部との間に、接合半径部ＲＰが形成されている。図示の実施形態では、接合半径ＲＰは約５／１０００インチから約１５／１０００インチの範囲内である。以下で説明するようにすくい角が正であることと、半径ＲＰが極小であることに起因して、通常は接合半径部ＲＰには、すくい面から流れ落ちてくる切屑は接触しない。むしろ切屑は、以下で説明するように、接続面３０の実質的に平坦すなわち非曲線状の表面に接線状に接触する。図示のとおり直線状接続面３０は、連続する非アサリ歯の歯先間に延伸する平面１３に対して鋭角「ＰＡ」にて傾斜する実質的に平坦または非曲線状の表面を、自身の内側端部３１と外側端部３３との間に有する。本発明の図示の実施形態では、鋭角「ＰＡ」は約６４°から約７９°の範囲内であり、好ましくは約６６°から約７０°の範囲内である。
【００２４】
各接続面３０は、内側端部３１と外側端部３３との間で、平面１３に平行な方向に沿って前方に距離「Ｐ１」にて突出している。本発明の図示の実施形態では、Ｐ１は約５／１０００インチから約２５／１０００インチの範囲内であり、より好ましくは約８／１０００インチから約２０／１０００インチの範囲内である。したがってＰ１は、少なくとも約５／１０００インチであり、好ましくは少なくとも約１０／１０００インチから約１５／１０００インチである。図３に示すように各歯は、直線状接続面３０の外側端部３３に隣接して（好ましくはつなげて）形成された、実質的に平坦な刃溝入口面３５を有する。図示のとおり、平坦な刃溝入口面３５は、連続する非アサリ歯の歯先間に延伸する平面１３に対して略垂直である。第２の刃溝半径部「Ｒ２」が、刃溝入口面３５の外側端部と平坦な刃溝ベース面３８の内側端部との間に延伸する。
【００２５】
図３に最もはっきり図示するように、各すくい面２４は、正のすくい角「ＲＡ」を形成している。すくい面が、連続する歯の歯先間に延伸する平面に対して９０°より大きい角度にて内側に傾斜している場合に、すくい面は正のすくい角を形成する。すくい面が、歯先間に延伸する平面に対して９０°の向きである場合は、すくい面は「ゼロ度」のすくい角を形成する。正のすくい角は、歯先間に延伸する平面に対して９０°を超えて内側にすくい面が傾斜している度合いに基づいて特定される。たとえば９１°であれば、正のすくい角は１°、９２°であれば、正のすくい角は２°、などである。図示の実施形態では、各正すくい角ＲＡは約１０°から約１７°の範囲内であり、好ましくは約１２°から約１６°の範囲内である。
【００２６】
実質的に平坦すなわち非曲線状の接続面３０によって、比較的きつくカールした切屑を形成し、各歯１８のすくい面２４から引き離して各刃溝２８の遠位側または反対側へ放出することができる。切屑をこのように移送することにより、利用可能な刃溝の容量をより効率的に使用できる。上述した数値範囲（特にＤ１、ＰＡ、およびＰ１に関する数値範囲）は、歯先における切削抵抗の増大による悪影響なしに上述のきつくカールした切屑を形成しやすくする構造設計の範囲を画定するものである。また、接続面３０によって、鋸刃表面における切屑の接触ゾーンを減少でき、その結果、すくい面の表面に生じる熱を低減できる。直線状接続面３０が実質的に平坦すなわち非曲線状であること、ならびに、その傾斜角、長さ、および正すくい面の基部と刃溝入口との間の位置に起因して、接続面３０は切屑に接線状に接触し、それによって、切屑に接触する隆起部の接続面の表面積と、結果として歯にかかる切削抵抗とを減少させるが、それでもなお、比較的きつくカールした切屑を形成し、放出または移動して刃溝２８の反対側へ運ぶ。
【００２７】
図１および図２に示すように、帯鋸刃１０には、５つの歯の繰り返しによるマルチレベルの目振りパターンが設けられている。そのパターンは、刃溝（１）を有する第１の先頭非アサリ歯（Ｓ）と、比較的軽度の右への目振り幅（Ｒ（ｌ））で振り出され刃溝（２）を有する第２の歯と、比較的重度の左への目振り幅（Ｌ（ｈ））で振り出され刃溝（３）を有する第３の歯と、比較的重度の右へ目振り幅（Ｒ（ｈ））で振り出され刃溝（４）を有する第４の歯と、比較的軽度の左への目振り幅（Ｌ（ｌ））で振り出され刃溝（５）を有する第５の歯とを含むものであり、以下に示すとおりである。
Ｓ -Ｒ（ｌ）-Ｌ（ｈ）-Ｒ（ｈ）-Ｌ（ｌ）において、
Ｓ＝かき歯＝アサリなし＝基準歯先平面、
Ｒ（ｌ）＝右軽度アサリ＝基準歯先平面、
Ｌ（ｈ）＝左重度アサリ＝歯先最大下げ幅、
Ｒ（ｈ）＝右重度アサリ＝歯先最大下げ幅、および
Ｌ（ｌ）＝左軽度アサリ＝基準歯先平面。
【００２８】
各非アサリ歯（Ｓ）の歯先２０は基準歯先平面１３に位置し、各軽度アサリ歯（Ｒ（ｌ）またはＬ（ｌ））の歯先２０は、基準歯先平面１３に位置するか平面１３から比較的わずかに下がった位置にあり、各重度アサリ歯（Ｒ（ｈ）またはＬ（ｈ））の歯先２０は、基準歯先平面１３から最大に下がった位置にある。このマルチレベルの目振り構成を用いると、比較的深く細い切屑を形成することで切削が難しい材料を効果的に切削でき、その結果、従来技術の鋸刃に比べて、刃の寿命が向上し、よりまっすぐな切削が可能になる。
【００２９】
図２の表では、５つの歯の繰り返しパターンにおける各歯を刃溝番号（「刃溝＃」）で特定するとともに、それぞれのピッチ、二次逃げ角（ＣＡ２）、第１の刃溝半径Ｒ１、刃溝平坦部３８の長さ、第２の刃溝半径Ｒ２、ならびに、すくい面２４の基部および直線状接続面３０の内側端部３１の深さＤ１の例示的な寸法を記載する。当業者が本明細書の記載に基づいて理解するように、これらの寸法は一例であって、現在既知または後に知られる多くの他の寸法を採用することができる。
【００３０】
全体的な切削抵抗の主たる要因は、非アサリ歯（たとえばＳ）および軽度アサリ歯（たとえばＲ（ｌ）およびＬ（ｌ））の相対切削効率であることが見出されている。したがって、図１から図３に関する上記説明で示したとおり、それらの歯は、上述の切屑制御用の突起部３０と共に、比較的積極的な（大きな）すくい角ＲＡ（すなわち、約１０°から約１７°の範囲内で、好ましくは約１２°から約１６°の範囲内のすくい角）を有することで、抵抗が比較的低い状態で切削材料に切り込む。また、刃の比較的長い寿命と比較的まっすぐな切削との両方を達成するうえで鍵となる要素は、重度アサリ歯（Ｒ（ｈ）およびＬ（ｈ））であることが見出されている。したがって、本発明の他の実施形態では、重度アサリ歯（Ｒ（ｈ）およびＬ（ｈ））は、より非積極的な（より小さな）すくい角ＲＡを有し、好ましくは、非アサリ歯（Ｓ）および軽度アサリ歯（Ｒ（ｌ）およびＬ（ｌ））のすくい角ＲＡ（すなわち、重度アサリ歯より小さい目振り幅を有する歯のすくい角）の約６０％から約８０％の範囲内のすくい角を有する。この代替実施形態では、重度アサリ歯（Ｒ（ｈ）およびＬ（ｈ））のすくい角は、約６°から約１４°の範囲内であり、より好ましくは約７°から約１３°の範囲内である。重度アサリ歯（Ｒ（ｈ）およびＬ（ｈ））が比較的より非積極的なすくい角ＲＡを有することによって歯の摩耗が比較的遅くなるか制御されることに起因して、重度アサリ歯は実質的にまっすぐな切削を維持することができるが、それでもなお上述のように、非アサリ歯Ｓおよび軽度アサリ歯Ｒ（ｌ），Ｌ（ｌ）の構成によって、比較的低い切削抵抗が維持され切屑がしっかりと制御される。
【００３１】
図４の表では、別の実施形態における５つの歯の繰り返しパターンの各歯を刃溝番号（「刃溝＃」）で特定するとともに、それぞれのピッチ、すくい角ＲＡ、一次逃げ角ＣＡ、二次逃げ角ＣＡ２、第１の刃溝半径Ｒ１、刃溝平坦部３８の長さ、および第２の刃溝半径Ｒ２の例示的な寸法を記載する。刃溝「３」および「４」はそれぞれ、左重度アサリ歯および右重度アサリ歯であり、表からわかるように、非アサリ歯（Ｓ）および軽度アサリ歯（Ｒ（ｌ）およびＬ（ｌ））の比較的積極的なすくい角ＲＡ（すなわち約１６°）に比べて、実質的により非積極的な約１０°のすくい角ＲＡを有する。当業者が本明細書の記載に基づいて理解するように、これらの寸法は一例であって、現在既知または後に知られる多くの他の寸法を採用することができる。
【００３２】
本発明の別の具体例の帯鋸刃には、以下のような、７つの歯の繰り返しによる２段目振りパターンが設けられている。
Ｓ -Ｒ（ｈ）-Ｌ（ｈ）-Ｒ（ｌ）-Ｌ（ｌ）-Ｒ（ｈ）-Ｌ（ｈ）において、
Ｓ＝かき歯＝アサリなし＝基準歯先平面、
Ｒ（ｈ）＝右重度アサリ＝歯先最大下げ幅、
Ｌ（ｈ）＝左重度アサリ＝歯先最大下げ幅、
Ｒ（ｌ）＝右軽度アサリ＝基準歯先平面、
Ｌ（ｌ）＝左軽度アサリ＝基準歯先平面、
Ｒ（ｈ）＝右重度アサリ＝歯先最大下げ幅、および
Ｌ（ｈ）＝左重度アサリ＝歯先最大下げ幅。
【００３３】
上述の説明に倣い、Ｓは先頭の非アサリ歯であり、Ｒ（ｈ）は比較的重度の目振り幅で右に振り出された第２の歯であり、Ｌ（ｈ）は比較的重度の目振り幅で左に振り出された第３の歯であり、Ｒ（ｌ）は比較的軽度の目振り幅で右に振り出された第４の歯であり、Ｌ（ｌ）は比較的軽度の目振り幅で左に振り出された第５の歯であり、Ｒ（ｈ）は比較的重度の目振り幅で右に振り出された第６の歯であり、Ｌ（ｈ）は比較的重度の目振り幅で左に振り出された第７の歯である。上述のとおり、非アサリ歯（Ｓ）および軽度アサリ歯（Ｒ（ｌ）およびＬ（ｌ））は、比較的積極的なすくい角ＲＡ（すなわち、約１０°から約１７°の範囲内で、好ましくは約１２°から約１６°の範囲内のすくい角）を有する一方、重度アサリ歯（Ｒ（ｈ）およびＬ（ｈ））は、より非積極的なすくい角ＲＡを有し、それは好ましくは、非アサリ歯（Ｓ）および軽度アサリ歯（Ｒ（ｌ）およびＬ（ｌ））のすくい角ＲＡの約６０％から約８０％の範囲内である。
【００３４】
本発明のさらに別の具体例の帯鋸刃には、以下に示すように、１０個の歯の繰り返しピッチパターンが設けられており、そのピッチパターンには、７個-３個のマルチレベルの目振りパターンが含まれる。
Ｓ -Ｒ（ｌ）-Ｌ（ｍ）-Ｒ（ｍ）-Ｌ（ｌ）-Ｒ（ｈ）-Ｌ（ｈ）- Ｓ -Ｒ（ｈ）-Ｌ（ｈ）
Ｓ＝かき歯＝アサリなし＝基準歯先平面、
Ｒ（ｌ）＝右軽度アサリ＝基準歯先平面、
Ｌ（ｍ）＝左中度アサリ＝基準歯先平面、
Ｒ（ｍ）＝右中度アサリ＝基準歯先平面、
Ｌ（ｌ）＝左軽度アサリ＝基準歯先平面、
Ｒ（ｈ）＝右重度アサリ＝歯先最大下げ幅、
Ｌ（ｈ）＝左重度アサリ＝歯先最大下げ幅、
Ｓ＝かき歯＝アサリなし＝基準歯先平面、
Ｒ（ｈ）＝右重度アサリ＝歯先最大下げ幅、および
Ｌ（ｈ）＝左重度アサリ＝歯先最大下げ幅。
【００３５】
Ｓ、Ｒ（ｌ）、Ｌ（ｌ）、Ｒ（ｈ）、およびＬ（ｈ）の各歯は、上記説明のとおりである。歯Ｌ（ｍ）は、左軽度アサリ歯の目振り幅と左重度アサリ歯の目振り幅との間の中位の目振り幅で左に振り出されている。歯Ｒ（ｍ）は、右軽度アサリ歯の目振り幅と右重度アサリ歯の目振り幅との間の中位の目振り幅で右に振り出されている。上述と同様に、非アサリ歯（Ｓ）、軽度アサリ歯（Ｒ（ｌ）およびＬ（ｌ））、ならびに中度アサリ歯（Ｒ（ｍ）およびＬ（ｍ））は、比較的積極的なすくい角ＲＡ（すなわち、約１０°から約１７°の範囲内で、好ましくは約１２°から約１６°の範囲内のすくい角）を有する一方、重度アサリ歯（Ｒ（ｈ）およびＬ（ｈ））は、より非積極的なすくい角ＲＡを有し、それは好ましくは、非アサリ歯（Ｓ）、軽度アサリ歯（Ｒ（ｌ）およびＬ（ｌ））、ならびに中度アサリ歯（Ｒ（ｍ）およびＬ（ｍ））のすくい角ＲＡの約６０％から約８０％の範囲内である。このピッチ／目振りパターンによって、切屑がより細かく切断されやすくなり、それによって重度アサリ歯（Ｒ（ｈ）およびＬ（ｈ））にかかる切削抵抗が減少する。
【００３６】
本発明の代替実施形態では、重度アサリ歯（Ｒ（ｈ）およびＬ（ｈ））は、非アサリ歯（Ｓ）ならびに軽度アサリ歯（Ｒ（ｌ）およびＬ（ｌ））に比べて（さらに、該当する場合は中度アサリ歯（Ｒ（ｍ）およびＬ（ｍ））にも比べて）、比較的浅い一次逃げ角ＣＡを形成している。現在の好適な実施形態では、重度アサリ歯の逃げ角ＣＡは、約０°から約８°の範囲内である。さらに、重度アサリ歯（Ｒ（ｌ）およびＬ（ｌ））の一次逃げ面２２の長さ（すなわち、歯先２０から、一次逃げ面２２と二次逃げ面３２との接合部までの距離）は、約２／１０００インチから約６／１０００インチの範囲内である。このような比較的浅い逃げを重度アサリ歯に設けることで、重度アサリ歯は、安定的で「未摩耗」状態の歯の構成を有することになる。一方で、非アサリ歯および軽度アサリ歯は、図１から図３の実施形態に関連して説明した構成を有する。その結果、重度アサリ歯は比較的均一または一定的に摩耗し、より鋭利な歯先を備える（たとえば、より積極的な（より深い）一次逃げ角を備える）鋸歯に本来的に生じうる歯の無秩序な摩耗を回避するが、それでもなお、図１から図３に関連して説明した非アサリ歯および軽度アサリ歯の構成によって、比較的低い切削抵抗が維持され切屑がしっかりと制御される。
【００３７】
通常の技術を有する当業者が本明細書の記載に基づいて理解するように、添付の請求項で規定される範囲から逸脱することなく、本発明の上記および他の実施形態に数々の変更や修正を加えることができる。たとえば、歯の構成において、本明細書に記載のものとは異なる数々の形状や寸法を採用することが可能である。同様に、本明細書に記載のものとは異なる数々の目振り、ピッチ、目振りパターン、またはピッチパターンを歯列に採用することができる。さらに、本発明は帯鋸刃に限定されず、たとえば穴鋸またはホールカッターに適用することもできる。またさらに、本発明の鋸刃は、バイメタル、超硬刃、もしくは他の現在既知または後に知られる鋸刃材料などの、数々の異なる材料または複合材料で構成されることができる。したがって、本明細書における実施形態の詳細な説明は、限定するためではなく、実例を示すためのものであると理解すべきである。
【符号の説明】
【００３８】
１０  鋸刃、１３  平面、１４  切削縁部、１８  歯、２０  歯先、２２  一次逃げ面、２４  すくい面、２８  刃溝、３０  （隆起部の）接続面、３１  内側端部、３２  二次逃げ面、３３  外側端部、ＣＡ  一次逃げ角、ＣＡ２  二次逃げ角、ＲＡ  すくい角。
【図１】
0005993732.tif 000002
【図２】
0005993732.tif 000003
【図３】
0005993732.tif 000004
【図４】
0005993732.tif 000005